Podtech/llm-jp-corpus-v4-ja_patent huggingface dataset:
(57)【要約】【課題】枢支ピンの嵌合部における摩耗等に起因した抜け落ちを防止する。【解決手段】化粧料の充填空間を有する容器本体（１）と、この容器本体（１）に枢支ピン（５）を介して揺動可能に支持される蓋体（２）とを備えた化粧料容器において、前記枢支ピン（５）の先端に、容器本体（１）又は蓋体（２）の何れか一方に係止され該枢支ピン（５）の抜け落ちを防止する係止爪（５ａ）を設ける。【選択図】図１
2005102982.tif 000002
【特許請求の範囲】
【請求項１】
化粧料の充填空間を有する容器本体と、この容器本体に枢支ピンを介して揺動可能に支持される蓋体とを備えた化粧料容器であって、
前記枢支ピンは、その先端に、容器本体又は蓋体に係止され該枢支ピンの抜け落ちを防止する係止爪を有することを特徴とする化粧料容器。
【請求項２】
容器本体、蓋体及び枢支ピンは何れもが合成樹脂よりなる請求項１記載の化粧料容器。
【発明の詳細な説明】
【技術分野】
【０００１】
本発明は、化粧料を入れる容器本体と蓋体とが蝶着され、ファンデーションやアイシャドー、ハンドクリームや頭髪用ジェル等の化粧料を入れるのに適した化粧料容器に関するものであり、容器本体と蓋体とをつなぐ枢支ピンの摩耗に伴う抜けを確実に防止しようとするものである。
【背景技術】
【０００２】
化粧料を入れるのに使用される化粧料容器として最も代表的なものとしてコンパクトがある。かかる容器は化粧料を収納する容器本体と、この容器本体に合わさる蓋体とが蝶着されており、それらの部材を共に貫通する圧入式の枢支ピンを介して連結した構造になっており、その開閉は該枢支ピンを支点とする蓋体の揺動によって行われる。
【０００３】
前記枢支ピンは、普通、強度を補償する観点から金属製のものが使用されてきたが、近年、分別廃棄の際の手間が省けるよう枢支ピンも樹脂化されるようになってきており、構成部材の全てを合成樹脂で成形したものも提案されている（例えば、特許文献１参照）。
【０００４】
【特許文献１】特開平１１−２８５４１１号公報
【０００５】
ところで、部材の全てを合成樹脂にて構成した化粧料容器では、とくに枢支ピンの嵌合部は成形精度が出しにくいうえ摩耗度合いも激しいことから該枢支ピンが短期間のうちに抜け落ちてしまうことが懸念された。
【発明の開示】
【発明が解決しようとする課題】
【０００６】
本発明の課題は、枢支ピンの嵌合部における成形精度や摩耗の進行度合いにかかわりなく該枢支ピンの抜け落ちを防止できる新規な化粧料容器を提案するところにある。
【課題を解決するための手段】
【０００７】
本発明は、化粧料の充填空間を有する容器本体と、この容器本体に枢支ピンを介して揺動可能に支持される蓋体とを備えた化粧料容器であって、
前記枢支ピンは、その先端に、容器本体又は蓋体に係止され該枢支ピンの抜け落ちを防止する係止爪を有することを特徴とする化粧料容器である。
【０００８】
容器本体、蓋体及び枢支ピンは何れもが合成樹脂にて構成するのが好ましい。
【発明の効果】
【０００９】
枢支ピンの先端に係止爪を設けて、この係止爪を容器本体又は蓋体に係止させるようにしたので、枢支ピンの嵌合部において摩耗が進行しても該枢支ピンが簡単に抜け落ちることはない。
【発明を実施するための最良の形態】
【００１０】
以下、図面を参照して本発明をより具体的に説明する。
図１〜図３は本発明に従う化粧料容器の実施の形態をコンパクトを例として示したものであり、図１は化粧料容器の外観斜視図、図２は要部の拡大図、図３は枢支ピンの外観斜視図である。
【００１１】
図における１は化粧料の充填空間を有する容器本体、２はこの容器本体１に合わさる蓋体、３は容器本体１に形成されたピン孔、４は蓋体２に形成されたピン孔（図２参照）、５はピン孔３、４に圧入され蓋体２を容器本体１に対して揺動可能に支持する枢支ピンであり、この枢支ピン５は図３にそれを拡大して示す如くその先端に係止爪５ａを有していて、該枢支ピン５の圧入時に係止爪５ａが蓋体２の切り欠き部２ａにおいて係止できるようになっている。
【００１２】
この種の化粧料容器は、蓋体２の開閉に際して枢支ピン５がピン孔３、４において摺動するためその部位における摩耗が進行しやすく、また、高い成形精度が要求されるが、枢支ピン５とピン孔３、４との間に隙間が生じた場合には該枢支ピン５が簡単に抜け落ちてしまうおそれもある。本発明の化粧料容器は枢支ピン５をピン孔３、４に差し込んだとき係止爪５ａが蓋体２の切り欠き部２ａにおいて係止（アンダーカットによる係止）されているため、嵌合部に隙間が存在しても該枢支ピン５はピン孔３、４に留まることになる。
【００１３】
上掲図１〜３の例では、枢支ピン５を容器本体１のピン孔３から蓋体２のピン孔４に向けて差し込み枢支ピン５の係止爪５ａを該蓋体２の切り欠き部２ａに係止させる構造としたが、枢支ピン５を蓋体２ピン孔４から容器本体１のピン孔３に向けて差し込み係止片５ａを容器本体１に設けた切り欠き部で係止してもよく（図示せず）、この点については限定されない。
【００１４】
また、とくに図示はしないが、容器本体１側若しくは蓋体２側の何れか一方の枢支ピン５の断面を多角形断面とすることも可能であり、この場合、蓋体２の開閉時に発生する枢支ピン５に対する応力（捩れ応力）を軽減することが可能となり、枢支ピン５の耐久性の向上を図ることができる。
【００１５】
さらには、本発明の化粧料容器は、実施例に示したようなコンパクトに限るものではなく、容器本体と蓋体とが蝶着されたものであればジャータイプの化粧料容器にも適用可能であり、そのタイプは適宜選択可能である。
【産業上の利用可能性】
【００１６】
容器本体と蓋体とをつなぐ枢支ピンの嵌合部に隙間が存在しても枢支ピンが簡単に抜け落ちることがないので、化粧料容器の長期にわたる使用が可能になる。
【図面の簡単な説明】
【００１７】
【図１】本発明の実施の形態を示した図である。
【図２】図１の要部の拡大断面図である。
【図３】枢支ピンの外観斜視図である。
【符号の説明】
【００１８】
１  容器本体
２  蓋体
２ａ  切り欠き部
３  ピン孔
４  ピン孔
５  枢支ピン
５ａ  係止爪
【図１】
2005102982.tif 000003
【図２】
2005102982.tif 000004
【図３】
2005102982.tif 000005
(57)【要約】【課題】体脂肪を日常的に気軽で手軽に精度良好に測定することができるようにすること。【解決手段】トイレにおいて、着座式便器１の両脇のそれぞれに肘掛け２が備えられると共に、各肘掛け２の先端部に体脂肪測定センサー４が備えられ、両肘掛けは、着座姿勢のまま、それらの先端部に備えられている前記センサー４のそれぞれに手をつけ、両腕を前方に水平に延ばすことができるよう、動き可能に備えられている。【選択図】      図１
2005102910.tif 000002
【特許請求の範囲】
【請求項１】
着座式便器の両脇のそれぞれに肘掛けが備えられると共に、各肘掛けの先端部に体脂肪測定センサーが備えられ、
両肘掛けは、着座姿勢のまま、それらの先端部に備えられている前記センサーのそれぞれに手をつけて、両腕を前方に水平に延ばすことができるよう、動き可能に備えられていることを特徴とする体脂肪測定トイレ。
【発明の詳細な説明】
【技術分野】
【０００１】
本発明は、体脂肪測定トイレに関する。
【背景技術】
【０００２】
体内に微弱電流を流して電気抵抗を測定することで体脂肪量を割り出す体脂肪計が世の中に広く普及しているが、そのなかには、ヘルスメータータイプのものもあるが、ヘルスメータータイプは靴下を履いたままでは測定ができないことから、手軽に体脂肪を測定できるものとしてハンドグリップタイプのものも提供されている。
【発明の開示】
【発明が解決しようとする課題】
【０００３】
しかしながら、ハンドグリップタイプのものは、例えば家庭などでは、その保管場所に困ることがあり、一旦、直し込んでしまうと、取り出すのがなかなか億劫になってしまい、使われないままに放置されてしまうことも少なくない。
【０００４】
本発明は、上記のような問題点に鑑み、体脂肪を日常的に気軽で手軽に精度良好に測定することができるようにすることを課題とする。
【課題を解決するための手段】
【０００５】
上記の課題は、着座式便器の両脇のそれぞれに肘掛けが備えられると共に、各肘掛けの先端部に体脂肪測定センサーが備えられ、
両肘掛けは、着座姿勢のまま、それらの先端部に備えられている前記センサーのそれぞれに手をつけて、両腕を前方に水平に延ばすことができるよう、動き可能に備えられていることを特徴とする体脂肪測定トイレによって解決される。
【０００６】
この体脂肪測定トイレは、いわゆるハンドグリップタイプのものであり、トイレの中で靴下を脱ぐことなく体脂肪を測定でき、しかも、トイレは日常的に誰もが使用する場所であるし、また、手持ち無沙汰な場所でもありうるから、体脂肪を日常的に気軽で手軽に測定することができる。
【０００７】
また、体脂肪測定センサーは、着座式便器の両脇の肘掛けの先端部に備えられ、両肘掛けは、着座姿勢のまま、それらの先端部に備えられている前記センサーのそれぞれに手をつけて、両腕を前方に水平に延ばすことができるよう、動き可能に備えられているので、体脂肪を測定しないときは、肘掛けを肘掛けとして使用し、体脂肪を測定するときはセンサーに手をつけて肘掛けを動かせば体脂肪を測定でき、ハンドグリップタイプのものでありながら、直し込まれてしまうことがなく、いつも見えるところにあって、しかも、邪魔にもならず、思い立ったときに、あるいは、決められた時に、気軽で手軽に体脂肪を測定することができる。
【０００８】
しかも、肘掛けは上記のような動きをすることができるようになされているので、体脂肪を精度良好に測定することができる。
【発明の効果】
【０００９】
本発明の体脂肪測定トイレは、以上のとおりのものであるから、体脂肪を日常的に気軽で手軽に精度良好に測定することができる。
【発明を実施するための最良の形態】
【００１０】
次に、本発明の実施最良形態を図面に基づいて説明する。
【００１１】
図１及び図２に示す実施形態の体脂肪測定トイレにおいて、１は水洗等による着座式便器であり、この着座式便器１の両脇のそれぞれに肘掛け２，２が備えられている。なお、肘掛け２，２は、便器１やタンク３とは独立したものであってもよいし、便器１やタンク３に付属したものであってもよい。
【００１２】
そして、両肘掛け２，２の先端部には、体脂肪測定用のセンサー４，４が備えられ、各肘掛け２，２は、図２（イ）（ロ）に示すような肘掛け状態から、図１に示すように、着座姿勢のまま、それらの先端部に備えられているセンサー４のそれぞれに手をつけて、両腕を前方に水平に延ばすことができるよう動き可能に備えられている。本実施形態では、この動きを実現するため、各肘掛け２，２が、伸縮と斜め上方への回動動作を行うことができるようになされている。
【００１３】
なお、肘掛けが前方に長いような場合には、伸縮せず、斜め上方への回動動作ができるようになされた構造であってもよい。また、肘掛けが前後方向に短いけれども先端側に立ち上がりを有するＬ型のものであるような場合には、伸縮のみして回動はしない構造であってもよい。また、肘掛けが手摺りを兼ねているようなものであって、便器１から側方に少し離れているような場合には、両腕を全貌に延ばして体脂肪を測定できるように、内外方向へも回動できるように構成されていてもよい。要は、肘掛けや手摺り本来の使用状態から体脂肪測定可能な状態への動きができるような構造になっていればよい。
【００１４】
上記の体脂肪測定トイレでは、一日のうちに少なくとも一度は使用する、手持ち無沙汰でありがちな場所であるトイレにおいて、ハンドグリップタイプで体脂肪を測定することができるので、体脂肪を日常的に気軽で手軽に測定することができる。しかも、肘掛けが体脂肪測定のための動きをするようになされているので、体脂肪を精度良好に測定することができる。
【図面の簡単な説明】
【００１５】
【図１】実施形態の体脂肪測定トイレを示すもので、体脂肪測定状態における側面図である。
【図２】図（イ）は肘掛けとしての使用状態を示す正面図、図（ロ）は同側面図である。
【符号の説明】
【００１６】
１…着座式便器
２…肘掛け
４…体脂肪測定センサー
【図１】
2005102910.tif 000003
【図２】
2005102910.tif 000004
(57)【要約】    【課題】イカを釣る場合、餌として生臭い生魚や釣果の上がらないエギを使用するが、沈下していく際に抱き付き捕食するイカを釣り人は気付かず逃してしまっているのが現実である。それは釣り針が、イカが抱き付く側面に設けている道具が無い事やエギの素材の硬さに問題があった。    【解決手段】防波堤と水面下の対象魚までの高低差を条件に前傾姿勢の時間を長く保つ為、重り２の上部前側にアイ１を付け、重り２と一体となった先の回転する串をワーム６の釣り針スペース７まで貫通させた後、釣り針付きリング４を通し入れると串先の回転ストッパー５の長い突端は重力で自然に下に来る様になっている。ワーム６の素材は生餌と違い手には生臭さは残らない。針位置をワーム６の側面に設けた事によりイカ等が捕食した瞬間に針がかりする手軽に扱え、良い釣果をもたらす発明である。    【選択図】        図３
2005102517.tif 000002
【特許請求の範囲】
【請求項１】
重りに糸を結ぶアイと先が１８０度回転する串を付け、ワームに串を貫通させた後、釣り針の付いたリングを通し、リングが抜けない様、串先をストッパー代わりとして回転させて使用するイカや魚を釣る道具。
【請求項２】
請求項１を使用する為にワームの胴体側面をくり抜いた疑似餌。
【発明の詳細な説明】
【技術分野】
【０００１】
この発明はイカや魚を高確率で釣る為に、先が１８０度回転する串の付いた重りと釣り針が付いたリングと、それらと一体化する胴体側面に穴の開いたワームに関する物である。
【背景技術】
【０００２】
重りに一本針の付いた属に言うジグヘッドがあるが、イカは釣れないに等しい物であった。また串状のイカ針もあるが針の位置が餌の頭部かヒレ部になる為、獲物の側面を抱きながら捕食するイカは針がかりしづらい物であった。又、それらに補助針を付属した物もあるが、釣り上げたイカ等を針から外すのは容易ではなかった。そしてイカ専用のジグヘッドもイカ専用のワームも存在していない。
【発明の開示】
【発明が解決しようとする課題】
【０００３】
最近では女性も釣りを楽しむようになったが、手に臭いの残る生餌は敬遠されがちである。実際のイカの捕食方法は獲物の側面にしがみつき捕食するもので、イカ釣り用疑似餌でエギと呼ばれる物があるが、硬い素材の為、イカは抱いた瞬間に獲物ではないと判断し逃げてしまう。その状況を釣り人は、まったく分からないのが現状である。防波堤からの釣りは、水中の対象魚までの高低差があるので、エギ等のように糸を結ぶアイが先端にある物は糸を引いた時、前上がりの状態になる。ましてイカの場合、前下がりで沈下中に捕食する事が多いので、捕食時間を少なくしてしまう。この発明はイカが捕食時に抱く肝心な側面に釣り針を設けた物で手軽にワームを交換でき、釣り上げたイカ等を手返し良く外せる物を課題とした。
【課題を解決するための手段】
【０００４】
誰でもそうであるが、手に臭いの残るような生臭い餌は敬遠されがちなので、見た目も動きも良く、味付きや夜光の物まである疑似餌で、ゴム製、柔らかいプラスチック製、自然素材等でできているワームを使用する。その胴体側面には釣り針を取り付ける為、重りの上部前側にアイを設けた。ワーム交換を容易に出来る様に先が１８０度回転する串をワームの口部から刺し入れ、胴体側面の穴まで貫通したら釣り針の付いたリングを通し入れるだけと手間を省いた。
【発明の効果】
【０００５】
近年アウトドアブームもあり老若男女を問わず愛好家が増えてきた釣りであるが、中でも手軽に出来る疑似餌を使用した釣りが人気である。この発明はワームの取り付けや交換を容易にし、針がかりの確率の高い箇所へ釣り針を配置する事で、動きと感触の良い味付きワームを針にかけられるまで気付かず対象魚に食べさせ、高確率で釣り上げる事が可能な物である。
【発明を実施するための最良の形態】
【０００６】
糸を結ぶアイを設けた鉛等の重りと、先が１８０度回転する串を一体化した物で、ワームの側面の穴まで貫通させた後に釣り針付きのリングを通す。回転部は長さが異なっており長い方が重い為、自然と下へ９０度回転し釣り針のストッパーの役目を果たす。使用するワームはイカ等が捕食しても違和感のない比較的柔らかい素材で、胴体側面に釣り針が収まる穴がくり抜かれている。
【実施例１】
【０００７】
アイ１に糸を結ぶ。回転ストッパー５の長い側からワーム６に刺し入れ、釣り針スペース７まで貫通したら釣り針付きリング４を通す。回転ストッパー５は重力で長い側が下へと９０度回転する。フックストッパー３は釣り針付きリング４が前へ移動するのを防ぐのとワーム６のずれ防止の役目をする。
【図面の簡単な説明】
【０００８】
【図１】ワーム６に刺し入れる前の状態の側面図である。
【図２】ワーム６を除いた本発明のセット例である。
【図３】実施例を示す側面図である。
【符号の説明】
【０００９】
１  アイ
２  重り
３  フックストッパー
４  釣り針付きリング
５  回転ストッパー
６  ワーム
７  釣り針スペース
【図１】
2005102517.tif 000003
【図２】
2005102517.tif 000004
【図３】
2005102517.tif 000005
(57)【要約】 【課題】  本発明は、蔓草等が屋根から吊り下がるのを防止する蔓草伸長防止具を提供する。【解決手段】  本発明の蔓草伸長防止具１０は、蔓草の進行に対し凹面状に形成の停止体１０ａで蔓草の伸長を防止する。【選択図】        図１
2005102520.tif 000002
【特許請求の範囲】
【請求項１】
蔓草の直進を阻止する蔓草伸長防止具１０であって、凹面状に形成の停止体１０ａを備えることを特徴とする蔓草伸長防止具。
【請求項２】
停止体１０ａの断面は、凹面状であることを特徴とする請求項１の蔓草伸長防止具。
【発明の詳細な説明】
【技術分野】
【０００１】
本発明は、緑化等のために屋根（平坦面、傾斜面）等に植えられている蔓草等が、屋根から吊り下がるのを防止する蔓草伸長防止具に関する。
【背景技術】
【０００２】
従来、緑化等のために、コンクリートの屋根等に植物を植えることがある。屋根に、例えば、蔓草を植えると、その蔓草は屋根全体に蔓延り、屋根全体が緑に覆われて環境面によい。
【発明の開示】
【発明が解決しようとする課題】
【０００３】
しかし、蔓草等は、屋根全体に蔓延るばかりでなく、何れは屋根の下に垂れ下がり、美観面によくない状態になる。そのため、その蔓草を、梯子を掛けた状態で切断したり、屋根に上がって手入れをしなければならず、屋根上の作業となり安全面においても問題である。
そこで、本発明は、かかる問題を解消するため、蔓草伸長防止具を提供するものである。
【課題を解決するための手段】
【０００４】
請求項１の蔓草伸長防止具は、蔓草の進行に対し凹面状に形成の停止体で蔓草の伸長を防止するものである。蔓草は、一般に、停止体がないと直進するものであり、この停止体があると、その停止体に形成の凹面に沿って伸びる習性がある。そこで、凹面状の停止体を設置しておくと、蔓草の先頭は、その停止体に沿って伸び、やがて、進行方向と逆の反対側に伸長することになる。そこで、例えば、屋根の下端部に停止体を設けておくと、蔓草は、その停止体によって、屋根の頂部方向に伸長し、垂れ下がりを防止できる。
【発明の効果】
【０００５】
請求項１の蔓草伸長防止具は、停止体によって、蔓草を進行方向と逆の反対側に伸長することになるので、例えば、屋根の下端部に停止体を設けておくと、蔓草は、その停止体によって、垂れ下がりを防止できる。
【発明を実施するための最良の形態】
【０００６】
本発明を図面を参照して説明する。図１は傾斜状の屋根１を示し、この傾斜状の屋根１の下には梁２が設けてある。そして、屋根１の上には土や水耕栽培用の植木鉢等が羅列されたり、或は直接、土床が作ってあり、屋根１を緑化して覆うために、前記植木鉢や土床に草等５を植えてある。
【０００７】
前記屋根１の下端の下には、雨水を受ける雨樋３が取り付けてあると共に、蔓草の直進を阻止する位置である屋根１の下端に、金属や合成樹脂等で製作の蔓草伸長防止具１０が取り付けてある。
この蔓草伸長防止具１０は、長方形の薄板を断面略コ字状、断面半円形、断面楕円形状等の凹面に形成の停止体１０ａと、その停止体を屋根端部に取り付ける金具（図示略）を備えている。
そして、この蔓草伸長防止具１０の停止体１０ａの断面形状は、下部と上部が同じ側で、下部と上部の間の中部が下部と上部と逆側になる凹面状に形成し、この凹面は蔓草の進む方向に対応して取り付ける。
尚、この凹面は滑らかな曲面である必要はなく、直線部を含む面であってもよい。
【０００８】
前記屋根１の上には、主として空に向かって上方向に伸びる草等は余り問題がない。しかし、屋根上で四方八方に伸びる蔓草に対しては、前記蔓草伸長防止具１０は有効に作用する。
即ち、伸びた蔓の先端部が蔓草伸長防止具１０に到ると、蔓の先端は停止体１０ａの凹面状（例えば、断面コ字状）によって直進を阻止され、その凹面に沿って伸びるので、その先端部は進行方向と逆方向に伸びることとなり、屋根１の軒からの垂れ下がりを防止できる。
【０００９】
尚、前記蔓草伸長防止具１０は薄板である必要はなく、網体等を使用してもよい。即ち、この蔓草伸長防止具１０は、蔓草の性質を利用して、蔓草が進行方向と逆方向に伸長して、ひっくり返る状態になるような凹面状であればよい。
又、前記蔓草伸長防止具１０は、屋根１に適用したが、道路端に形成ののり面等、種々の場所に取り付けることができる。
【図面の簡単な説明】
【００１０】
【図１】蔓草伸長防止具を取り付けてある屋根の断面図である。
【符号の説明】
【００１１】
１  屋根
２  梁
３  樋
１０  蔓草伸長防止具
１０ａ  停止体
【図１】
2005102520.tif 000003
(57)【要約】  【課題】歯ごたえと滑らかさを両立させた食感を備えるわさび類醤油漬けを製造する。  【解決手段】醤油漬け工程の前に、生のわさび類を挽き肉機で挽く。  【選択図】なし【特許請求の範囲】
【請求項１】
醤油漬け工程の前に、生のわさび類を挽き肉機で挽く工程を含むわさび類醤油漬けの製造方法。
【請求項２】
孔径が３ｍｍないし８ｍｍの挽き肉機を用いた請求項１に記載のわさび類醤油漬けの製造方法。
【請求項３】
挽き肉機の孔径が４．５ｍｍである請求項２に記載のわさび類醤油漬けの製造方法。
【発明の詳細な説明】
【技術分野】
【０００１】
本発明は、本わさびや山わさび等のわさび類醤油漬けの製造方法に関する。
【背景技術】
【０００２】
わさび類醤油漬けの製造方法の先行技術文献情報としては、たとえば、以下の特許文献１および特許文献２がある。
【特許文献１】特公平３−３１４１１号（特許請求の範囲、第１ページ２欄第３工程参照）
【特許文献２】特公平３−４７８２４号（特許請求の範囲、第２ページ４欄実験例１参照）
【発明の開示】
【発明が解決しようとする課題】
【０００３】
これらの先行技術文献に開示されている製造方法には、醤油着けする前に、わさび類の根部分を細かく粉砕する工程が含まれている。（すったりおろしたりする意味であると思われる）
この工程は、特許文献２にも記載があるように、わさび類の長く丈夫な繊維を細かくし、口中において繊維が残ることによる食感の低下を損なわないようにするためのものである。
しかしながら、先行技術文献におけるわさび類醤油漬けは、いずれもわさび類の根部分を細かく粉砕しているため、滑らかな食感はあるものの歯ごたえがなく、結局薬味として食べる一般的な食べ方でしかないと思われる。    
歯ごたえを残すには、わさび類をある程度粗く粉砕すればよいが、これであると、特許文献２にも記載があるように、繊維が残って食感の低下が生じてしまう。
【０００４】
本願出願人は、繊維による食感の低下の原因を研究したところ、ミキサーやフードプロセッサー等の粉砕機を用いた場合、繊維が絡み合って粒状になってしまい、この粒状の繊維が食感を低下させる原因であると推察した。
本願出願人は、繊維が粒状になることを解決するために、鋭意研究の結果本発明に至ったものである。
そこで、本発明は、歯ごたえと滑らかさを両立させた食感を備えるわさび類醤油漬けを製造することを課題とし、この課題を解決したわさび類醤油漬け製造方法の提供を目的とする。
【課題を解決するための手段】
【０００５】
前記目的を達成するために本発明は、下記の技術的手段を採用した。
その技術的手段は、醤油漬け工程の前に、生のわさび類を挽き肉機で挽く工程を含むわさび類醤油漬けの製造方法である。（請求項１）
また、孔径が３ｍｍないし８ｍｍの挽き肉機を用いたわさび類醤油漬けの製造方法である。（請求項２）
挽き肉機の孔径が４．５ｍｍであるわさび類醤油漬けの製造方法である。（請求項３）
【発明の効果】
【０００６】
本発明によれば、わさび類を挽き肉機で挽くことによって、わさび類の繊維が絡み合わず細かくばらばらとなった状態になった。
例えていうなら、にんにくを包丁でつぶした後、細かく切り刻んだ状態と同様であった。
そして、このように挽かれたわさび類を醤油または醤油とだし汁を合わせたものに漬けたところ、完成したものは、歯ごたえがありながら滑らかで舌ざわりもよく、そのまま食べても極めて美味しいものであった。
したがって、本発明は、歯ごたえと滑らかさを両立させた食感を備えるわさび類醤油漬けを製造することができる。
そして、この方法で製造されたわさび類の醤油漬けは、薬味はもとより、そのままおかずや酒のつまみとしても、きわめて好適な食品となる。
また、歯ごたえと滑らかさを両立させるためには、挽かれたわさび類の大きさが重要であり、わさび類を歯ごたえと滑らかさが両立する大きさに挽くことができる挽き肉機の孔径が、３ｍｍないし８ｍｍであった。
また、最も歯ごたえと滑らかさになるように挽くには、４．５ｍｍの孔径にすることであり、当該孔径で挽いたわさび類を使用した醤油漬けは、きわめてよい歯ごたえと滑らかさを備え、しかも美味しくなった。
ちなみに、孔径を３ｍｍ未満とした場合、挽かれたわさび類が細かすぎて歯ごたえに足りなく、８ｍｍを超える孔径とした場合、繊維が長すぎて舌触りが悪く滑らかさに欠けた。
【発明を実施するための最良の形態】
【０００７】
本発明でいうわさび類は、少なくとも、本わさび、山わさび、わさび大根等が含まれる。
また、本発明でいう挽き肉機は、通常ひき肉を作るのに用いられるものが使用でき、また、この挽き肉機を、わさび類を挽くのに好適なものとしてある程度の改良を加えてもよい。
また、本発明でいう醤油漬けは、基本的には、醤油をベースとして、だし汁、各種調味料、みりん、料理酒等を任意に加えてなる漬け汁に、わさび類を任意の時間漬け込んで製造する周知の方法で製造できる。
また、わさびの種類に応じて、煮きり醤油を使用してもよいし、だし汁、各種調味料、みりん、料理酒等の割合や漬け込む時間を調整することによって、そのわさび類が持つ特徴を最大限に引き出して、よい歯ごたえと滑らかさ、そして味を備えたわさび類の醤油漬けを製造することができる。
山わさびを漬け込む時間は、例えば、古漬け風や浅漬け風に製造するのに最適な時間を任意に選択する。
【実施例】
【０００８】
以下、本発明のわさび類の醤油漬けの製造方法の実施例を説明する。
本実施例では、わさび類に山わさびを用い、４．５ｍｍの孔径とする挽き肉機を用いた。
また、漬け汁には、煮きり醤油１：だし汁１の割合で配合したものを用いた。
【０００９】
本実施例の製造方法は下記のとおりである。  
第１工程：山わさびを挽き肉機で挽き易い大きさに切断する。
第２工程：切断した山わさびを挽き肉機に入れて挽く。
第３工程：前記で挽かれた山わさびを、前記配合の漬け汁におよそ２４時間漬け込むことによって山わさびの醤油漬けが完成する。
保存に関しては、漬け込んだ山わさびを冷凍することが好適であり、これを自然解凍することによって山わさびの醤油漬けとして食べることができる。
(57)【要約】 【課題】  バイオリアクタとして微細なポアを有する無機質多孔体を用いると、培養後に洗浄処理してもこのポアに要素高分子体や菌体が残存するため、繰り返し使用することができない。本発明の目的は、微細なポアを有しない、片側に平面板を有するハニカム構造体を用いることによって、繰り返し使用が可能なバイオリアクタを提供する。【解決手段】  菌体増殖のためのハニカム構造を有する孔部を具備したバイオリアクタであって、該バイオリアクタは、ＳｉＣ-Ｓｉ複合材料からなるハニカム構造体の開口端の一端が、該ＳｉＣ-Ｓｉ複合材料からなる平板により閉口された構成からなることを特徴とするバイオリアクタ。【選択図】        図１
2005102583.tif 000002
【特許請求の範囲】
【請求項１】
菌体増殖のためのハニカム構造を有する孔部を具備したバイオリアクタであって、該バイオリアクタは、ＳｉＣ-Ｓｉ複合材料からなるハニカム構造体の開口端の一端が、該ＳｉＣ-Ｓｉ複合材料からなる平板により閉口された構成からなることを特徴とするバイオリアクタ。
【発明の詳細な説明】
【技術分野】
【０００１】
本発明は、微量要素菌体培養用担体に関するものであり、特に、菌体増殖のためのハニカム構造を有する孔部を具備したバイオリアクタに関するものである。
【背景技術】
【０００２】
従来より、担体を製造する方法としては、菌や酵素を高分子ポリマーゲル内に抱括させる方法（抱括法）が知られており、工業的に利用されている。例えば、菌体増殖のための微量要素を合成または天然の高分子に抱括した要素高分子体が合成または天然の無機質多孔体により挾持積層されているものが提案されている。これは、その要素高分子体の周辺に、多孔質物質（合成または天然の無機質多孔体）を配設するものである。
このような担体は、使用する高分子の毒性による菌の活性低下を防止し、また、担体を構成する高分子体や無機質多孔体の厚さや空隙を調整することによって増殖阻害を防止する。このような無機質多孔体としては、多孔質コンクリートやセラミックスや、石綿が用いられる。（例えば、特許文献１参照）。
【特許文献１】特開平１１−３４１９７６号公報
【発明の開示】
【発明が解決しようとする課題】
【０００３】
しかしながら、従来の無機質多孔体では、要素高分子体を充填する部分の穴以外に多数の微細な穴を有する。例えば多孔質コンクリートは不可避的に微細なポアと湿分を有し、これが菌体増殖に影響を与える。セラミックスの場合は湿分はないものの、やはり微細なポアが残存する。これは、セラミックス焼結体の場合、微粉末を出発原料としているため、原料粉末間の空隙が焼結後も完全に消滅しないからである。こうした微細なポアを有する無機質多孔体を用いると、このポアに要素高分子体や菌体が残存し、繰り返し使用することができない。
【０００４】
したがって、本発明の目的は、微細なポアを有しない、片側に平面板を有するハニカム構造体を用いることによって、繰り返し使用が可能なバイオリアクタを提供することにある。
【課題を解決するための手段】
【０００５】
本発明者らは、上記課題を解決するために鋭意研究した結果、本発明を完成した。
即ち本発明の目的は、下記する手段により達成される。
（１）菌体増殖のためのハニカム構造を有する孔部を具備したバイオリアクタであって、該バイオリアクタは、ＳｉＣ-Ｓｉ複合材料からなるハニカム構造体の開口端の一端が、該ＳｉＣ-Ｓｉ複合材料からなる平板により閉口された構成からなることを特徴とするバイオリアクタ。
【発明の効果】
【０００６】
本発明によれば、要素高分子体を充填する部分の穴以外にはポアを有しない無機質多孔体が容易に作製できる。また、構成材料であるＳｉＣ、Ｓｉともに耐食性に優れ、使用する高分子の毒性に対して十分な耐久性を有する。したがって、これをバイオリアクタとして用いることで、繰り返し使用が可能なバイオリアクタを容易に作製することができる効果がある。
【発明を実施するための最良の形態】
【０００７】
本発明者らは、上記課題に鑑み鋭意研究した結果、バイオリアクタを、ＳｉＣ-Ｓｉ複合材料からなるハニカム構造体の開口端の一端が、該ＳｉＣ-Ｓｉ複合材料からなる平板により閉口された構成とすることにより、菌体増殖のためのハニカム構造を有する孔部以外にはポアを有しない無機質多孔体が容易に作製できることを見出し、本発明を完成したものである。
【０００８】
ここで、本発明でＳｉＣ-Ｓｉ複合材料を提案した理由は、該複合材料は金属Ｓｉをマトリックスとして使用するので、他の金属のような凝固収縮がなくポアのない緻密な構造体が得られるからである。
本発明において、ＳｉＣ-Ｓｉ複合材料からなるハニカム構造体の開口端の一端が、該ＳｉＣ-Ｓｉ複合材料からなる平板により閉口してバイオリアクタを作製する方法は慣用の方法を用いることができる。すなわち、樹脂製のハニカム構造体を非酸化雰囲気中、１０００〜１５００℃で加熱、炭化させたのち、１５００〜２０００℃の温度で溶融した金属Ｓｉと反応、ケイ化物を得る。同様にして平板を作製し、ろう付けなどの方法により一体化させることで作製できる。
また、ＳｉＣ粉末とカーボン粉末でハニカム構造体を作製し、溶融した金属Ｓｉと反応させて、ケイ化物を得る方法でも良く、本発明はこれらの製法に限定されるものではない。
【０００９】
次に、本発明を実施例と比較例により詳細に説明する。
(実施例)
ＳｉＣ粉末(粒径40μm)100重量部にカーボン粉末20重量部、水20重量部、メチルセルロース10重量部を添加し、押し出し成形によりハニカム構造体を得た。これを金属Ｓｉとともにアルゴン中1500℃で加熱して、外寸50mm×50mm×30mmのＳｉＣ-Ｓｉ複合材料のハニカム構造体を得た。同様の原料を用いて外寸50mm×50mm×10mmの板を押し出し成形により作製し、同様にＳｉＣ−Ｓｉ複合材料からなる平板を得た。ハニカム構造体の開口端の一端と平板の片面とを研削加工した後、Ａｕろうを用いて研削加工面同士を接合して、ＳｉＣ-Ｓｉ複合材料からなるハニカム構造体の開口端の一端が、ＳｉＣ-Ｓｉ複合材料からなる平板により閉口した本発明のバイオリアクタを得た。
図１に、本発明に係るバイオリアクタの側面図を模式的に示した。図において、１はＳｉＣ-Ｓｉ複合材料からなるハニカム構造体で、２はＳｉＣ-Ｓｉ複合材料からなる平板で、３はハニカム構造を有する孔部である。
【００１０】
次に、ハニカム構造を有する孔部にＰＶＡ（ポリビニルアルコール）ポリマーゲルを充填した。これを用いてメタン菌の培養を行った後、ＰＶＡポリマーゲルを除去、洗浄した。破断面を組織観察したところ、ＰＶＡポリマーゲルは残留していなかった。
【００１１】
（比較例）
ＳｉＣ-Ｓｉ複合材料の代わりにコージエライトハニカム構造体とアルミナ平板を用い、それぞれを接着剤を用いて接着してバイオリアクタとした以外は、実施例と同様な方法、及び手段で評価を行った。その結果、コージエライトハニカムのポアと微細な空隙にＰＶＡポリマーゲルが残留し、繰り返し使用することができなかった。
【図面の簡単な説明】
【００１２】
【図１】本発明に係るバイオリアクタの側面図である。
【符号の説明】
【００１３】
１；ＳｉＣ-Ｓｉ複合材料からなるハニカム構造体
２；ＳｉＣ-Ｓｉ複合材料からなる平板
３；ハニカム構造を有する孔部
【図１】
2005102583.tif 000003
(57)【要約】【課題】  インバータの放熱装置に余裕がある場合は、ゲート抵抗値を大きくすることにより、ノイズの発生量を低減したエレベータの制御装置を得る。【解決手段】  直流電力をＰＷＭ制御により任意の交流電力に変換するインバータ３を備えたものにおいて、インバータの放熱フィンに設けられ、放熱フィンの温度を検出する温度センサー４と、この温度センサーが検出した放熱フィンの温度に応じてインバータに実装されているトランジスタのゲート抵抗を切り換えるゲート抵抗切り換え手段２とを備えたものである。【選択図】    図１
2005102346.tif 000002
【特許請求の範囲】
【請求項１】
直流電力をＰＷＭ制御により任意の交流電力に変換するインバータを備えたエレベータの制御装置において、  
インバータの放熱フィンに設けられ、放熱フィンの温度を検出する温度センサーと、  
この温度センサーが検出した放熱フィンの温度に応じてインバータに実装されているトランジスタのゲート抵抗を切り換えるゲート抵抗切り換え手段と、
を備えたことを特徴とするエレベータの制御装置。
【請求項２】
直流電力をＰＷＭ制御により任意の交流電力に変換するインバータを備えたエレベータの制御装置において、  
インバータの放熱フィンに設けられ、放熱フィンの温度を検出する温度センサーと、  
この温度センサーの検出温度に基づいて前記インバータの放熱状態の裕度を判定する温度判定手段と、
この温度判定手段によるインバータの放熱状態の裕度に応じてインバータに実装されているゲート抵抗を切り換えるゲート抵抗切り換え手段と、
を備えたことを特徴とするエレベータの制御装置。
【請求項３】
直流電力をＰＷＭ制御により任意の交流電力に変換するインバータを備えたエレベータの制御装置において、  
インバータの放熱フィンに設けられ、放熱フィンの温度を検出する温度センサーと、  
この温度センサーの検出温度を基に前記インバータの放熱状態の裕度を判定する温度判
定手段と、
この温度判定手段によりインバータの放熱状態に裕度があると判定された時、ゲート抵抗値を大きくし、トランジスタのスイッチング速度を遅くしノイズの発生量を低減させるゲート抵抗切り換え手段と、
を備えたことを特徴とするエレベータの制御装置。
【発明の詳細な説明】
【技術分野】
【０００１】
この発明は、直流電力をＰＷＭ（パルス幅変調）制御により任意の交流電力に変換するインバータを備えたエレベータの制御装置に関するものである。
【背景技術】
【０００２】
インバータ等に使用されるトランジスタは、一般にトランジスタ駆動回路のゲート抵抗を大きくすると、スイッチング速度が遅くなり、放射されるノイズが低減されるが、スイッチング時の損失が大きくなることが知られている。  
また、エレベータの制御装置では、その設置場所の温度環境及びエレベータの運行状態を、最大使用温度、最大起動頻度でエレベータを動作させた状態を想定し、インバータの放熱フィンがある一定温度以上にならないように、放熱装置が設計されている。しかし、実際のエレベータの運行状態では、最大使用温度、或いは最大起動頻度の状態で運行される時間は限られており、ほとんどの時間において放熱装置に余裕があるのが現状である。  また、エレベータ装置のインバータ制御装置として、インバータの冷却フィン温度を検出する温度検出手段と、冷却フィン温度に基づいてインバータの最大許容電流を算出する最大許容電流算出手段と、インバータの出力電流が最大許容電流を越えると、ＰＷＭ制御のキャリア周波数を下げるキャリア周波数変更手段とを備えたものがある（例えば、特許文献１参照）。
【０００３】
【特許文献１】特開平１０−１６４８８４号公報
【発明の開示】
【発明が解決しようとする課題】
【０００４】
従来のエレベータの制御装置では、トランジスタ駆動回路のゲート抵抗値が固定であるため、放熱装置に余裕がある運行状態でもノイズ量を低減する手段がなく、ラジオの受信等に影響を与える場合があった。
また、特許文献１記載のものは、インバータの限界適用を可能とし、小型軽量化によるコストダウンを狙ったものであった。
【０００５】
この発明は、上述のような課題を解決するためになされたもので、第１の目的は、インバータの放熱装置に余裕がある場合は、ゲート抵抗値を大きくすることにより、ノイズの発生量を低減したエレベータの制御装置を提供するものである。
【課題を解決するための手段】
【０００６】
この発明に係るエレベータの制御装置は、直流電力をＰＷＭ制御により任意の交流電力に変換するインバータを備えたものにおいて、インバータの放熱フィンに設けられ、放熱フィンの温度を検出する温度センサーと、この温度センサーが検出した放熱フィンの温度に応じてインバータに実装されているトランジスタのゲート抵抗を切り換えるゲート抵抗切り換え手段とを備えたものである。
【発明の効果】
【０００７】
この発明は、インバータの放熱装置に余裕がある場合は、ゲート抵抗値を大きくすることにより、トランジスタのスイッチング損失を低減し、ノイズの発生量を低減することができる。特に、エレベータ稼動中のほとんどの状態でノイズを低減させることが可能となるので、その効果は大きい。
【発明を実施するための最良の形態】
【０００８】
実施の形態１．
図１はこの発明の実施の形態１におけるエレベータの制御装置の構成を示すブロック回路図である。
図において、１はトランジスタの駆動回路、２はトランジスタを駆動するゲート抵抗を切り換えるゲート抵抗切り換え手段、３はインバータ、４は温度センサー、５は温度判定手段である。
以上の構成において、インバータ３の放熱フィンに実装されている温度センサー４により、インバータの放熱フィンの温度を検出し、その検出した温度情報を基に温度判定手段５でインバータ３の放熱状態の裕度（余裕度）を判定する。ゲート抵抗切り換え手段２は、温度判定手段５でインバータ３の温度に裕度（余裕）があると判定された場合には、ゲート抵抗値を大きくし、トランジスタのスイッチング速度を遅くしノイズの発生量を低減させる。一方、使用温度が高く、或いは起動頻度が大きな状態でエレベータが運行され、温度判定手段５でインバータ３の放熱状態に裕度（余裕）がないと判定された場合には、ゲート抵抗を切り換えるゲート抵抗切り換え手段２でゲート抵抗値を小さい方に切り換え、トランジスタのスイッチング損失を低減させることにより発熱を抑制する。これにより、エレベータ稼動中のほとんどの状態でノイズの発生量を低減することが可能となる。
【図面の簡単な説明】
【０００９】
【図１】この発明の実施の形態１におけるエレベータの制御装置の構成を示すブロック回路図である。
【符号の説明】
【００１０】
１  トランジスタの駆動回路
２  ゲート抵抗切り換え手段
３  インバータ
４  温度センサー
５  温度判定手段
【図１】
2005102346.tif 000003
(57)【要約】【課題】  水やりを失念したり、それが不可能な状態に置かれた際であっても、ある程度長時間、植物の生育に必要な量の水を補給するための植木鉢を提供する。【解決手段】  口径の大きさの異なる鉢を内と外に二重に形成した植木鉢であって、外側の植木鉢（１）の底面（２）の中心に排水用の穴（３）を穿設し、内側の植木鉢（４）の壁面の上部に、水やりのための毛細管現象を活用した紐を通す穴（５）を穿設した上で紐（６）を通し、下端（７）は、外側の植木鉢（１）の底面（２）に接着又は一体成型した二重植木鉢。【選択図】  図１
2005102665.tif 000002
【特許請求の範囲】
【請求項１】
口径の大きさの異なる鉢を内と外に二重に形成した植木鉢であって、外側の植木鉢（１）の底面（２）の中心に排水用の穴（３）を穿設し、内側の植木鉢（４）の壁面の上部に、水やりのための毛細管現象を活用した紐を通す穴（５）を穿設した上で紐（６）を通し、下端（７）は、外側の植木鉢（１）の底面（２）に接着又は一体成型した二重植木鉢。
【発明の詳細な説明】
【技術分野】
【０００１】  この発明は、水やりが困難な状況下にあっても、ある程度長時間、植物に水を補給することが可能な、全体が二重に形成された植木鉢に関するものである。
【背景技術】
【０００２】  従来の植木鉢は、植物を枯れさせないために水を撒いても、水が土壌の中を真っ直ぐに落ちるので保水時間は短く、毎日水を撒く必要があった。
【特許文献１】  特開２００１−９５８３６号
【特許文献２】  特開平９−１９１７７０号
【特許文献３】  特開２００３−６１４７５号
【発明の開示】
【発明が解決しようとする課題】
【０００３】  特許文献１は、本発明の出願人によって先に出願されたものであるが、水やりの方法が、外側と内側の鉢の間の隙間に入れた水を、内側の鉢の壁に穿設した穴を通して土に補水する技術手段であったが、本発明は、内側の鉢の壁の上部に穿設した穴に、水やりのための毛細管現象を活用した紐を通して土に補水する技術手段である。
特許文献２は、水やりの方法において、外鉢体と内鉢体の底部の隙間部を給水室とし、内鉢体の底部の給水口より水を内鉢体内部の土に補水する技術手段であり、緩やかに、徐徐に補水給水することによる、長期の自動水やり状態を期待出来ない。
特許文献３は、植木鉢の壁を二重にしたのは、外気の影響を受けにくい断熱性を目的としたものであり、給水用の水は、別の容器を鉢の下に設置して、鉢の外からその容器に注入する技術である。この先行技術にあっては、紐状物を利用することで、ある程度長期的な自動水やり状態は保持出来るものの、吸水用の紐は、鉢の底部より内容器内に入れ、内容器の内面の上端に突起されたる支持突片に引っ掛けている。
本発明は、給水用の水を、外側と内側の鉢の間の隙間に入れ、水やりの紐は、内側の鉢の上部に穿設されたる穴を通して内側の鉢の土中に埋設するだけの、より簡便な方法にて、毛細管現象を利用して自動水やりを達成しようとするものである。
鉢植えの植物には、水を補給しなければならないが、うっかり水を撒くのを忘れたり、何日も家を留守にした場合、水を補給しないでおくと植物が枯れてしまう。そこで、そのような場合でも植物が枯れないように水を補給することを本発明は目的とする。
【課題を解決するための手段】
【０００４】  口径の大きさの異なる鉢を内と外に二重に形成した植木鉢であって、外側の植木鉢（１）の底面（２）の中心に排水用の穴（３）を穿設し、内側の植木鉢（４）の壁面の上部に、水やりのための毛細管現象を活用した紐を通す穴（５）を穿設した上で紐（６）を通し、下端（７）は、外側の植木鉢（１）の底面（２）に接着または一体成型する。
外側と内側の植木鉢の間の隙間（８）に水を入れ、紐（６）は穴（５）を通して植木鉢内の土中に埋め、紐（６）を伝ってある程度長時間植物に水を補給させる。
【発明の効果】
【０００５】  鉢植えの植物には、水を補給しなければならないが、うっかり水を撒くのを忘れたり、何日も家を留守にした場合、水を補給しないでおくと植物が枯れてしまうことがあるが、本発明を使用することにより、ある程度長時間保水されるので、植物が枯れることがない。
【発明を実施するための最良の形態】
【０００６】  以下、本発明の構造と使用方法を述べる。
１  外側と内側の植木鉢の間に形成された隙間（８）に、水と紐（６）の片端を入れる。
２  内側の植木鉢（４）の壁の上部に穿設された紐を通す穴（５）に、水やりのための毛細管現象を活用する紐（６）のもう一方の端を通し、内側の植木鉢（４）の土中の浅い所に埋設させる。紐（６）の長さは、外側の植木鉢（１）の底面（２）から、内側の植木鉢（４）の穴（５）までの長さに、内側の植木鉢（４）の周囲よりやや短い長さを足した位が良い。紐（６）は、特に大きな鉢や小さな鉢は別にして、普通の大きさの鉢ならば、水分の吸収力からして直径７ミリ位の太さで良い。
３  本発明において、土を入れるのは内側の植木鉢（４）のみであり、外側の植木鉢（１）との間に形成される隙間（８）には、水及び水を浸透させる紐（６）のみ入る。
４  隙間（８）の中の水は、紐（６）を伝って内側の植木鉢（４）の土中に入り、植物に水を補給する。隙間（８）の広狭が補水時間に影響する。
５  外側の植木鉢（１）の底面（２）に近い位置に、水抜き用の栓付穴（９）を開けても良い。
６  外側と内側の植木鉢の間に形成された隙間（８）の上に、芥等が入らぬように、また美観上、蓋（１０）を被せても良い。  蓋（１０）は、大きい植物が植えてあっても取外しが出来るように分割して作成した方が良い。
【図面の簡単な説明】
【０００７】
【図１】  本発明の実施例を示す断面図
【図２】  本発明の実施例を示す平面図
【図３】  本発明の使用状態を示す斜面図
【符号の説明】
【０００８】  １  外側の植木鉢
２  底面
３  排水用の穴
４  内側の植木鉢
５  紐を通す穴
６  紐
７  下端
８  隙間
９  栓付穴
１０  蓋
【図１】
2005102665.tif 000003
【図２】
2005102665.tif 000004
【図３】
2005102665.tif 000005
(57)【要約】【課題】  犬の散歩時のフン処理が安易にできる。愛犬家のマナー向上を提供する。【解決手段】  紙袋（１）を入れたトレイ（２）の取っ手にフック穴（５）を設け、グリップ（６）の先にフック（４）、トレイ受け（３）を一体に設けたことを特徴とする。【選択図】  図１
2005102668.tif 000002
【特許請求の範囲】
【請求項１】
紙袋（１）をトレイ（２）に納め、トレイ（２）のフック穴（５）に、フック（４）を通し、トレイ（２）をトレイ受け（３）で受けた犬の散歩用便器。
【発明の詳細な説明】
【発明の詳細な説明】
【技術分野】
【０００１】  この発明は、散歩中の犬の排便を容易に持ち帰り、水洗トイレで直接流せる、犬の散歩用便器に関するものである。
【背景技術】
【０００２】  従来飼い犬は、家の中で飼う以外は、ほとんどが宅地内につながれ、散歩時にフンをする。したがってフンの処理が毎日必要で、出したフンを拾って帰らなければならず、フンの場所、状態によっては全部始末できなかったりする。また拾ったフンに異物などが混入し、直接水洗トイレに流せない。
【発明が解決しようとする課題】
【０００３】  これは次のような欠点があった。
イ  液状のフンのように状態が悪いときは、きれいに全部持ち帰れず、不衛生である。
ロ  従来の道具では、何種類か持ち歩かなければならない。
ハ  スーパーのポリエチレン袋などを使用する人が大半で、汚れた袋を洗浄・乾燥しないとゴミとして出せず処理に困る。
ニ  いまだ、空き地などでのフンの不始末をする飼い主があとをたたない。
本発明は、以上の欠点を解決する為、なされたものである。
【課題を解決するための手段】
【０００４】  紙袋（１）をトレイ（２）に納め、トレイ（２）のフック穴（５）に、フック（４）を通し、トレイ（２）を、トレイ受け（３）で受ける。
本発明は、以上の構成よりなる犬の散歩用便器である。
【発明を実施するための最良の形態】
【０００５】  以下、本発明の実施の形態を説明する。
（イ）紙袋（１）をトレイ（２）の中に納める。
（ロ）トレイ（２）のフック穴（５）をフック（４）にひっかける。
（ハ）トレイ受け（３）でトレイ（２）を受けるように差し込む。
本発明は以上の構成よりなっている。
本発明を使用すると散歩中の犬のフンで手を汚さず、環境を汚さず、自宅に簡単に持ち帰れ、水洗便所で流すことができる。
犬はフンをする時必ず歩くのを止める。飼い主なら誰でもしぐさでわかり、本器を使用するタイミングは容易である。フンを受けた後は本器をトレイ受け（３）から外しグリップ（６）を立てて、フック（４）が下に向くように１８０°回転させるとトレイ（２）の取っ手が上になりフック（４）にぶら下がった状態で持ち運びしやすい形になる。しかもトレイ受け（３）がトレイ（２）を押さえて、持ち運び中振れ止めとなり、フンが外に出るのを防止し、安定な形で持ち帰れる。
【発明の効果】
【０００６】  本発明を使用することによって、犬の散歩時によるフンの処理が安易で、マナーを守りやすくなり、都会などのフン公害が減らせ、しかも直接水洗トイレに流せるので二次的な汚れが生じない。
【図面の簡単な説明】
【図１】本発明の斜視図
【図２】本発明の分解斜視図
【図３】本発明の使用状態を示す斜視図
【図４】本発明の使用状態を示す斜視図
【図５】本発明の使用状態を示す斜視図
【符号の説明】
１  紙袋
２  トレイ
３  トレイ受け
４  フック
５  フック穴
６  グリップ
【図１】
2005102668.tif 000003
【図２】
2005102668.tif 000004
【図３】
2005102668.tif 000005
【図４】
2005102668.tif 000006
【図５】
2005102668.tif 000007